(57)【要約】    【課題】防護壁や防音壁の造成作業における支柱の立設作業に必要とされる手間と時間と費用とを大幅に削減することができる雪崩または落石の防護壁、防音壁、並びに防護壁用または防音壁用の支柱、プレキャストコンクリートブロックを提供すること。    【解決手段】擁壁１３上面に所定間隔で設けた支柱取付孔１３ａ内に支柱１４を立設し、前記支柱取付孔１３ａを通して前記擁壁１３内に中詰材１８を詰め込むことで前記支柱１４を固定し、前記擁壁１４に立設固定された各支柱１４間に防護部材１５を取り付けた雪崩または落石の防護壁１１において、前記支柱１４の設定高さ位置の側面に突出部１４ａを設けると共に、前記擁壁１３上面の支柱取付孔１３ａの周縁に前記突出部１４ａを収納する凹部１３ｃを設けたことを特徴とする。  【選択図】図１
2008150822.tif 000002
【特許請求の範囲】
【請求項１】
擁壁上面に所定間隔で設けた支柱取付孔内に立設固定した各支柱間に防護部材を取り付けた雪崩または落石の防護壁において、
前記支柱の設定高さ位置の側面に突出部を設けると共に、前記擁壁上面の支柱取付孔の周縁に前記突出部を収納する凹部を設けたことを特徴とする雪崩または落石の防護壁。
【請求項２】
支柱がＨ鋼からなり、当該支柱の対向する各フランジに突出部を設けたことを特徴とする請求項１記載の雪崩または落石の防護壁。
【請求項３】
擁壁がプレキャストコンクリートブロックによって構成されていることを特徴とする請求項１または２のいずれかに記載の雪崩または落石の防護壁。
【請求項４】
擁壁の上端が、凹部を設けた支柱取付孔を有するプレキャストコンクリートブロックによって構成されていることを特徴とする請求項３に記載の雪崩または落石の防護壁。
【請求項５】
擁壁上面の凹部に支柱の突出部を収納させたとき、前記凹部と突出部との間に生ずる隙間に楔部材が挿入されることを特徴とする請求項１〜４のいずれかに記載の雪崩または落石の防護壁。
【請求項６】
支柱側面にボルト締めによって取付けた突出部を擁壁上面の凹部に収納させたとき、前記支柱が左右方向に傾くのを、前記突出部を支柱側面に取付けるボルトの先端に設けた鏃状部又はパッド部を前記擁壁の支柱取付孔周縁に圧接させることで防止したことを特徴とする請求項１〜４のいずれかに記載の雪崩または落石の防護壁。
【請求項７】
擁壁上面の支柱取付孔の周縁に支柱用アンカー部材上部を係止する係止溝を設けたことを特徴とする請求項１〜６のいずれかに記載の雪崩または落石の防護壁。
【請求項８】
基礎ブロック上面に所定間隔で設けた支柱取付孔内に立設固定した各支柱間に防音部材を取り付けた防音壁において、
前記支柱の設定高さ位置の側面に突出部を設けると共に、前記基礎ブロック上面の支柱取付孔の周縁に前記突出部を収納する凹部を設けたことを特徴とする防音壁。
【請求項９】
支柱がＨ鋼からなり、当該支柱の対向する各フランジに突出部を設けたことを特徴とする請求項８記載の防音壁。
【請求項１０】
基礎ブロックがプレキャストコンクリートブロックによって構成されていることを特徴とする請求項８または９のいずれかに記載の防音壁。
【請求項１１】
基礎ブロックが、凹部を設けた支柱取付孔を有するプレキャストコンクリートブロックによって構成されていることを特徴とする請求項１０に記載の防音壁。
【請求項１２】
基礎ブロック上面の凹部に支柱の突出部を収納させたとき、前記凹部と突出部との間に生ずる隙間に楔部材が挿入されることを特徴とする請求項８〜１１のいずれかに記載の防音壁。
【請求項１３】
擁壁または基礎ブロックの上面に所定間隔で設けた支柱取付孔内に立設固定される雪崩・落石の防護壁用または防音壁用の支柱であって、
当該支柱の設定高さ位置の側面に突出部を設けたことを特徴とする支柱。
【請求項１４】
Ｈ鋼からなり、当該Ｈ鋼の対向するフランジに突出部を設けたことを特徴とする請求項１３記載の支柱。
【請求項１５】
擁壁または基礎ブロックを構成するプレキャストコンクリートブロックであって、
請求項１３または１４に記載の支柱の突出部を収納する凹部を設けた支柱取付孔を有することを特徴とするプレキャストコンクリートブロック。
【発明の詳細な説明】
【技術分野】
【０００１】
本発明は、雪崩または落石の防護壁、防音壁、並びに防護壁用または防音壁用の支柱、プレキャストコンクリートブロックに関し、詳細には、防護壁や防音壁の造成作業における支柱の立設固定作業に必要とされる手間と時間と費用とを大幅に削減することができる雪崩または落石の防護壁、防音壁、並びに防護壁用または防音壁用の支柱、プレキャストコンクリートブロックに関する。
【背景技術】
【０００２】
高所からの落石や雪崩は大きな人身事故や施設の破壊を引き起こす危険性がある。このため、その対策として、斜面下の道路や建物の山側に防護壁を設けることで、落石や雪崩による被害を最小限に抑える努力がなされていた。
【０００３】
防護壁１は、図１９〜図２２に示すように、基礎地盤２上に構築される支柱取付孔３ａを有する擁壁３と、当該擁壁３に所定間隔で立設固定される支柱４と、各支柱５間に掛け渡されるケーブルや網体、或いは板材などの防護部材５とから構成されており、前記基礎地盤２上に擁壁３を構築し、この擁壁３に所定間隔で支柱４を立設固定し、各支柱４間に防護部材５を取付けることで該防護壁１が造成されていた。
【０００４】
特に防護壁の造成作業における支柱５の立設固定作業は、例えば図２０〜図２２に示すように、擁壁３内に支柱４を立設固定する場所毎に支柱４を仮止めするための鉄筋からなる仮止め枠６を組み付け、その上で支柱４を支柱取付孔３ａから擁壁３内に挿入し、支柱４の挿入部分に仮止め枠６とともに組み付けたアンカー部材７を取り付けて仮止めし、その後擁壁３内に支柱取付孔３ａを通してコンクリートや現場で発生した土砂などの中詰材を詰め込んで前記支柱４を固定するといった手順で行われており、非常に多くの手間と時間と費用とを必要としていた。
【０００５】
従来、防護壁の造成作業における支柱の立設固定作業に必要とされる手間と時間と費用とを削減するため、例えば図２３に示す工法が提案されている（特許文献１参照）。この工法は、支柱４を地面側に固定した複数のアンカーボルト８を介して立設固定するものであり、支柱４下端に前記アンカーボルト８に対応するボルト孔９ａを有する取付プレート９を取り付けておき、地面（擁壁）側にアンカーボルト８の下端を固定した後、このアンカーボルト８の上端を支柱４下端の取付プレート９のボルト孔９ａに通し、ボルト締めして固定するというものである。
【０００６】
しかし上記工法の場合、支柱４は、該支柱４下端に設けた取付プレート９が地面（擁壁）側から突出する複数のアンカーボルト８のみで固定されているため、落石や雪崩の大きな衝撃が加わったとき、その衝撃に十分に対抗できない恐れがあった。
【特許文献１】特開２０００−２３４３３９号公報
【発明の開示】
【発明が解決しようとする課題】
【０００７】
本発明は、このような事情に鑑みなされたものであり、落石や雪崩の大きな衝撃が加わった場合でも、その衝撃に耐えられるように各支柱を立設固定することができ、しかも防護壁や防音壁の造成作業における支柱の立設固定作業に必要とされる手間と時間と費用とを大幅に削減することができる雪崩または落石の防護壁、防音壁、並びに防護壁用または防音壁用の支柱、プレキャストコンクリートブロックを提供することを目的とするものである。
【課題を解決するための手段】
【０００８】
上記目的を達成するため、請求項１〜７記載の発明は、擁壁上面に所定間隔で設けた支柱取付孔内に立設固定した各支柱間に防護部材を取り付けた雪崩または落石の防護壁において、
前記支柱の設定高さ位置の側面に突出部を設けると共に、前記擁壁上面の支柱取付孔の周縁に前記突出部を収納する凹部を設けたことを特徴とする雪崩または落石の防護壁をその要旨とした。
【０００９】
請求項８〜１２記載の発明は、基礎ブロック上面に所定間隔で設けた支柱取付孔内に立設固定した各支柱間に防音部材を取り付けた防音壁において、
前記支柱の設定高さ位置の側面に突出部を設けると共に、前記基礎ブロック上面の支柱取付孔の周縁に前記突出部を収納する凹部を設けたことを特徴とする防音壁をその要旨とした。
【００１０】
請求項１３及び１４記載の発明は、擁壁または基礎ブロックの上面に所定間隔で設けた支柱取付孔内に立設固定される雪崩・落石の防護壁用または防音壁用の支柱であって、当該支柱の設定高さ位置の側面に突出部を設けたことを特徴とする支柱をその要旨とした。
【００１１】
請求項１５記載の発明は、擁壁または基礎ブロックを構成するプレキャストコンクリートブロックであって、請求項１３または１４に記載の支柱の突出部を収納する凹部を設けた支柱取付孔を有することを特徴とするプレキャストコンクリートブロックをその要旨とした。
【発明の効果】
【００１２】
本発明は、防護壁または防音壁の造成作業における支柱の立設固定作業において、設定高さ位置の側面に突出部を設けた支柱を用い、この支柱の突出部を擁壁または基礎ブロックの上面に所定間隔で設けた支柱取付孔周縁の凹部に収納させるだけで、支柱を擁壁または基礎ブロックの上面に設定高さ位置で立設させて仮止めすることができ、支柱の立設固定作業における手間と時間と費用とを大幅に削減することができる。
【発明を実施するための最良の形態】
【００１３】
以下、本発明の雪崩または落石の防護壁、防音壁、並びに防護壁用または防音壁用の支柱、プレキャストコンクリートブロックを図面に示した一実施の形態に従って詳しく説明する。まず、本発明の雪崩または落石の防護壁（以下、単に防護壁という）について説明する。尚、本発明の支柱、並びにプレキャストコンクリートブロックについては、本発明の防護壁の説明の中で説明する。
【００１４】
図１に示すように、本発明の防護壁１１は、基礎地盤１２上に構築される擁壁１３と、当該擁壁１３上面に所定間隔で立設固定される支柱１４と、各支柱１４間に取り付けられる防護部材１５とからなる。
【００１５】
図１〜図６に示す擁壁１３は、山側と道側の境界部分に打設した底版コンクリートを基礎地盤１２とし、この基礎地盤１２上に断面台形状の多数のプレキャストコンクリートブロック１０１を擁壁１３の長さ方向に配置すると共に、擁壁１３の高さ方向に同じく断面台形状であって大きさの異なる多数のプレキャストコンクリートブロック１０２〜１０６を積み上げて構築した構築物である。この擁壁１３は山側が垂直面、道路側が斜面をなす略台形状に造られており、該擁壁１３内部には前記多数のプレキャストコンクリートブロックによって空洞１３ｂが形成されている。
【００１６】
また、図２〜図５に示すように、擁壁１３の上端部分のプレキャストコンクリートブロック１０６は、同じく略Ｈ状であって断面台形状をなし、このブロック１０６が擁壁１３の長さ方向に多数配置されて、擁壁１３上面に所定間隔に支柱取付孔１３ａが設けられている。そして、図１及び図５に示すように、この擁壁１３上面に設けた支柱取付孔１３ａから支柱１４を擁壁１３内に挿入して立設させ、仮止めした後に、擁壁１３内に形成された空洞１３ｂ内に支柱取付孔１４を通してコンクリートや現場で発生した土砂などの中詰材１８を詰め込むことで支柱１４が固定されるようになっている。
【００１７】
尚、図１〜図６に示す擁壁１３は、多数のプレキャストコンクリートブロック１０１〜１０６を擁壁１３の長さ方向及び高さ方向に積み上げて構築したものであるが、これに限らず現場で型枠を組立てて、型枠内にコンクリートを打設することで造成したものであってもよい。
【００１８】
この擁壁１３上面の所定間隔に設けた各支柱取付孔１３ａの周縁には、図２〜６に示すように、支柱１４の設定高さ位置の側面に設けた突出部１４ａを収納する凹部１３ｃが設けられている。図５に示すように、凹部１３ｃは、支柱１４の突出部１４ａの側端部分の形状に対応して形成されており、上面のほかに支柱取付孔１３ａ側面が開放されている。このため、擁壁１３上面に設けた各支柱取付孔１３ａから支柱１４を擁壁１３内に挿入し、支柱１４から突出する突出部１４ａの側端部分を擁壁１３の凹部１３ｃ内に収納させることで、支柱１４は、設定高さ位置に擁壁１３上面で支持され、支柱１４の突出部１４ａから上の部分が擁壁１３上面から立設し、仮止めされることになる。尚、凹部１３ｃは、上面及び支柱取付孔１３ａ側面のほか、擁壁１３の外側面も開放された形態を採ることもできる。
【００１９】
本発明の防護壁に用いる支柱としては、従来より知られたＨ鋼や丸管など、特に限定されない。図１〜６に示す支柱１４は、Ｈ鋼からなり、当該支柱１４の対向する各フランジの設定高さ位置に突出部１４ａが設けられている。
【００２０】
突出部１４ａとしては、例えば図１〜６に示すように、略三角形状の板を支柱１４（各フランジ）の高さ方向に沿って立てて接合したもの、図７に示すように、断面Ｌ型の板を一辺が支柱１４（各フランジ）に水平状となるように接合したもの、図８に示すように、一対の断面Ｌ型の板をＴ字状となるように合わせて、その上面が支柱１４（各フランジ）に水平状となるように接合したもの、図９及び及び１０に示すように、Ｔ字状をなし、その上面を支柱１４（各フランジ）に接合したものなど、支柱１４の対向する両側面（各フランジ）から側方に突出するものであれば、その形状や大きさは特に限定されない。また突出部１４ａの素材についても、鉄、硬質プラスチックなど何でもよい。
【００２１】
この突出部１４ａの側端部分の形状に対応して、これを受け入れる擁壁１３の凹部１３ｃの内側形状が決まることになる。つまり突出部１４ａの側端部分の形状が、図１〜図９に示すように立てた板状であるならば、擁壁１３の凹部１３ｃの内側形状は、これに対応して支柱取付孔１３ａの周縁から厚み方向に細長く深い凹部となる。一方、突出部１４ａの側端部分の形状が、図１０に示すように横にした薄板状であるならば、擁壁１３の凹部１３ｃの内側形状は、これに対応して支柱取付孔１３ａの周縁から厚み方向に薄板状に広がる浅い凹部となる。
【００２２】
また突出部１４ａは、これを凹部１３ｃに収納させたとき、この突出部１４ａから上の支柱１４の部分が擁壁１３から立設し、この部分に防護部材１５が取り付けられるようになっており、突出部１４ａの取付位置は、支柱１４に取り付ける防護部材１５の高さを考慮して適宜設定するとよい。
【００２３】
また、突出部１４ａの支柱１４（各フランジ）への取付方法としては任意であるが、例えば図１〜図７に示すように、突出部１４ａが鉄板を用いたものである場合には、Ｈ鋼のフランジに溶接等により接合することができる。また図８及び図９に示す場合は、突出部１４ａと支柱１４のフランジの取付部分とにそれぞれボルト孔１６を設けておき、これら突出部１４ａと支柱１４のフランジのボルト孔１６の位置を合わせてボルト１７でボルト締めすることで取り付けることも可能である。
【００２４】
上述の如く、擁壁１３上面に設けた各支柱取付孔１３ａから支柱１４を擁壁１３内に挿入し、支柱１４の突出部１４ａを擁壁１３の凹部１３ｃ内に収納させることで、支柱１４は、設定高さ位置に擁壁１３上面で支持され、支柱１４の突出部１４ａから上の部分が擁壁１３から立設して仮止めされることになる。このため、従来の防護壁のように、擁壁内に支柱を立設固定する場所毎に支柱を仮止めするための鉄筋からなる仮止め枠を組み付けるともに、擁壁内に挿入した支柱の挿入部分にアンカー部材を取り付けて仮止めするといった煩雑な作業はまったく必要が無い。
【００２５】
擁壁１３上面に立設して仮止めされた支柱１４は、擁壁１３の空洞１３ｂ内に挿入された部分の周りを支柱取付孔１４を通してコンクリートや現場で発生した土砂などの中詰材１８で固めることで固定される。そして、擁壁１３上面に立設固定された支柱１４の突出部１４ａから上の部分に防護部材１５が取り付けられる。防護部材１５は、支柱１４間に掛け渡されるケーブルや網体、或いは板材などであり、図１に示す防護壁１１では、支柱１４間にケーブル１９を掛け渡し、さらにケーブル１９に網体２０を取り付けたものを防護部材１５として用いた。
【００２６】
尚、図１１に示すように、支柱１４の突出部１４ａ（の側端部分）を擁壁１３の凹部１３ｃ内に収納させて、支柱１４を擁壁１３上面に立設させたとき、突出部１４ａ（の側端部分）の各側面と凹部１３ｃの内側面との間に若干の隙間が生じることがある。突出部１４ａ（の側端部分）の各側面と凹部１３ｃの内側面との間に隙間が存在すると、支柱１４が左右方向へ傾くため、支柱１４を固定するまでの間これを抑える必要がある。そこで、このような場合、図１２に示すように、突出部１４ａの各側面と凹部１３ｃの内側面との間の隙間に楔部材２１を挿入して、支柱１４の左右方向への傾きを抑えるようにすることができる。
【００２７】
また、支柱１４を擁壁１３上面に立設させたとき、支柱１４が左右方向に傾くのを抑える他の方法としては、図１３に示すように、擁壁１３上面に立設する支柱１４の防護部材１５であるワイヤーを取り付ける取付孔２２を利用して、この取付孔２２に支柱１４間を連結する連結杆２３をボルト２４で固定する方法がある。また他の方法としては、同じく支柱１４のワイヤー取付用の取付孔２２を利用するとともに支柱１４の両側方の擁壁１３上面にボルト孔２５、２５を穿設しておいて、支柱１４の取付孔２２と擁壁１３上面のボルト孔２５、２５とにそれぞれ連結杆２６をボルト２７で固定する方法がある。
【００２８】
また、支柱１４を擁壁１３上面に立設させたとき、支柱１４が左右方向に傾くのを抑える更に別の方法としては、図８に示すように、突出部１４ａと支柱１４のフランジの取付部分とにそれぞれボルト孔１６を設けておき、これら突出部１４ａと支柱１４のフランジのボルト孔１６の位置を合わせてボルト１７でボルト締めすることで突出部１４ａを支柱１４（各フランジ）へ取り付ける場合、図１７に示すように、突出部１４ａを支柱１４（各フランジ）へ取り付けるボルト１７の先端に鏃状部１７ａを設け、この鏃状部１７ａを擁壁１３の支柱取付孔１４周縁に圧接し食い込ませることで、支柱１４の左右方向への傾きを防止するようにしたものを挙げることができる。
【００２９】
図１８に示す形態は、同じく突出部１４ａを支柱１４（各フランジ）へ取り付けるボルト１７を利用したものであり、ボルト１７の先端にパッド部１７ｂを設け、このパッド部１７ｂを擁壁１３の支柱取付孔１４周縁に圧接させることで、支柱１４の左右方向への傾きを防止するようにしたものである。尚、図１８に示す擁壁１３の上端部分は、断面台形状のプレキャストコンクリートブロック１０６から構成されているため、擁壁１３の支柱取付孔１４周縁の一方は垂直面からなり、他方は傾斜面からなるため、支柱取付孔１４周縁の傾斜面をなす側には、くの字状のブラケット１７ｃを介してパッド部１７ｂを圧接させるようにする。
【００３０】
次に、本発明の防護壁の別形態について説明する。この形態は、図１及び図１４〜図１６に示すように、擁壁１３上面に支柱１４を立設させて仮止めした後、中詰材１８で前記支柱１４を固定する場合に、支柱１４（の擁壁１３内に挿入した部分）周りに支柱用アンカー部材２８を配する場合を想定したものである。つまりこの形態では、支柱用アンカー部材２８上部を係止する係止溝１３ｄを擁壁１３上面の支柱取付孔１３ａ周縁の凹部１３ｃに隣接して設けたのである。
【００３１】
図１４及び図１６に示すように、支柱用アンカー部材２８は、複数の鉄筋を縦横方向に組み付けてなる籠からなる。この支柱用アンカー部材２８の上部を構成する鉄筋２８ａの端部は、両側方に長く飛び出て設けられており、その先端が擁壁１３の係止溝１３ｄに係止されることで、支柱１４の擁壁１３内に挿入した部分周りに支柱用アンカー部材２８が配置されるようになっている。
【００３２】
上記係止溝１３ｄを使用した施工は、まず、支柱１４の先端から支柱用アンカー部材２８を通し入れておく。その上で支柱１４の突出部１４ａ（の側端部分）を擁壁１３の凹部１３ｃ内に入れて、支柱１４を擁壁１３上面に立設させ、同時に支柱用アンカー部材２８上部の側方に延びる先端部分を擁壁１３の係止溝１３ｄに係止させるのである。これにより、支柱１４の擁壁１３内に挿入した部分周りに支柱用アンカー部材２８が配置されるようになる。
【００３３】
次に、本発明の防音壁について説明する。本発明の防音壁は、基礎ブロック上面に所定間隔で設けた各支柱取付孔内に立設固定した各支柱間に防音部材を取り付けたものであり、前記支柱の設定高さ位置の側面に突出部を設けると共に、前記基礎ブロック上面の支柱取付孔周縁に前記突出部を収納する凹部を設けたことを特徴とするものである。
【００３４】
本発明の防音壁において、設定高さ位置の側面に突出部を設けた支柱、ブロック上面の支柱取付孔、支柱取付孔の周縁に設けた突出部を収納する凹部、並びに凹部と突出部との間に生ずる隙間に挿入される楔部材、並びに支柱の左右方向への傾きを抑える手段は、上述の防護壁と同じであるため、ここでの説明は割愛する。
【００３５】
本発明の防音壁は、騒音が発生源から周辺に伝わるのを遮断するものであることから、落石や雪崩による事故の発生を防止する上述の防護壁とは、対象が異なる。しかし、その違いは、支柱間に取り付けられる防護部材が防音パネルに置き換わるだけであり、その基本構成は上述の防護壁と同じである。
【００３６】
本発明の防音壁は、道路や工場、或いは住宅などの騒音発生源の境界部分に配されるため、防音壁における基礎ブロックの範疇には、上述の防護壁と同じく擁壁も含まれる。本発明の防音壁を道路に設置する場合は、道路の縁石ブロックが防音壁における基礎ブロックとなる。また、本発明の防音壁を工場や住宅の境界に設置する場合は、壁の基礎が防音壁における基礎ブロックとなる。
【００３７】
尚、上に示した防護壁、防音壁、これら防護壁及び防音壁に用いる突出部を設けた支柱、擁壁または基礎ブロックの凹部は、上に示した例に限定されるものではなく、例えば図１０に示す突出部１４ａを設けた支柱１４を支柱取付孔の周縁に凹部を設けていない擁壁または基礎ブロックに適用し、支柱１４の突出部１４ａを支柱取付孔の周縁に引っ掛けて支柱を仮止めしたり、同じく図１０に示すボルト孔２９を有する突出部１４ａを設けた支柱１４を凹部を設けていない擁壁または基礎ブロックに適用し、この支柱１４の突出部１４ａを支柱取付孔の周縁に引っ掛け、その上で突出部１４ａをボルト孔２９を介して支柱取付孔の周縁にボルト３０でボルト締めして支柱１４を仮止めするなど、特許請求の範囲に記載された範囲において自由に変更することができる。
【図面の簡単な説明】
【００３８】
【図１】本発明の防護壁の全体を示す斜視図。
【図２】本発明の防護壁における擁壁を示す斜視図。
【図３】本発明の防護壁における擁壁の上面を示す平面図。
【図４】本発明の防護壁における擁壁の上面に支柱を立設した状態を示す平面図。
【図５】図４中のＡＢ線で切断した拡大断面図。
【図６】本発明の防護壁における支柱を示す斜視図。
【図７】本発明の防護壁における支柱の別形態を示す斜視図。
【図８】本発明の防護壁における支柱のさらに別の形態を示す斜視図。
【図９】本発明の防護壁における支柱のさらに別の形態を示す斜視図。
【図１０】本発明の防護壁における支柱のさらに別の形態を示す斜視図。
【図１１】支柱の突出部を擁壁上面の凹部に入れた状態を示す拡大断面図。
【図１２】支柱の突出部と擁壁上面の凹部との隙間に楔部材を入れた状態を示す拡大断面図。
【図１３】擁壁上面に立設した支柱が左右方向に傾くのを防止する手段を示す正面図。
【図１４】擁壁上面の支柱取付孔周縁の凹部に隣接して設けた係止溝に支柱用アンカー部材の上部を係止させた状態を示す斜視図。
【図１５】擁壁上面の支柱取付孔周縁の凹部に隣接して設けた係止溝を示す拡大斜視図。
【図１６】擁壁上面の支柱取付孔周縁の凹部に隣接して設けた係止溝に支柱用アンカー部材の上部を係止させた状態を示す拡大断面図。
【図１７】擁壁上面に立設した支柱が左右方向に傾くのを防止する手段を示す平面図。
【図１８】擁壁上面に立設した支柱が左右方向に傾くのを防止する手段を示す平面図。
【図１９】従来の防護壁の全体を示す斜視図。
【図２０】従来の防護壁の擁壁内部を示す斜視図。
【図２１】従来の防護壁の擁壁内に支柱を立設した状態を示す斜視図。
【図２２】従来の防護壁の擁壁内に立設した支柱周りに支柱用アンカー部材を配置した状態を示す斜視図。
【図２３】従来の支柱の立設固定例を示す拡大断面図。
【００３９】
１１      ・・・防護壁
１２      ・・・基礎地盤
１３      ・・・擁壁
１３ａ    ・・・支柱取付孔
１３ｂ    ・・・空洞
１３ｃ    ・・・凹部
１３ｄ    ・・・係止溝
１４      ・・・支柱
１４ａ    ・・・突出部
１５      ・・・防護部材
２１      ・・・楔部材
２８      ・・・支柱用アンカー部材
１０１〜１０６・・・プレキャストコンクリートブロック
【図１】
2008150822.tif 000003
【図２】
2008150822.tif 000004
【図３】
2008150822.tif 000005
【図４】
2008150822.tif 000006
【図５】
2008150822.tif 000007
【図６】
2008150822.tif 000008
【図７】
2008150822.tif 000009
【図８】
2008150822.tif 000010
【図９】
2008150822.tif 000011
【図１０】
2008150822.tif 000012
【図１１】
2008150822.tif 000013
【図１２】
2008150822.tif 000014
【図１３】
2008150822.tif 000015
【図１４】
2008150822.tif 000016
【図１５】
2008150822.tif 000017
【図１６】
2008150822.tif 000018
【図１７】
2008150822.tif 000019
【図１８】
2008150822.tif 000020
【図１９】
2008150822.tif 000021
【図２０】
2008150822.tif 000022
【図２１】
2008150822.tif 000023
【図２２】
2008150822.tif 000024
【図２３】
2008150822.tif 000025